(57)【要約】【課題】筆先の形状を先鋭な形に形成して、細い線を綺麗に書ける筆記具の筆先構造を提供する。【解決手段】内部にインキ又はインキの含浸した中綿１８が収納される筒状の筆記具本体１２と、該筆記具本体１２の先端部１２ａに嵌め込むノーズピース１３と、該ノーズピース１３の貫通孔１４に設けられる筆先１５とを少なくとも有する筆記具１１の筆先構造であって、前記筆先１５は、親水性を有する合成樹脂材で形成されると共に、中心部に長さ方向に沿った貫通孔１６が形成され、該貫通孔１６には、合成樹脂材で形成された糸状部材１７が集束され、該糸状部材１７の先端部１７ａが、前記筆先１５の先端部１５ａから所定長さ突出して位置する。【選択図】      図１
2009269251.tif 000002
【特許請求の範囲】
【請求項１】
内部にインキ又はインキの含浸した中綿が収納される筒状の筆記具本体と、該筆記具本体の先端部に嵌め込むノーズピースと、該ノーズピースの貫通孔に設けられる筆先とを少なくとも有する筆記具の筆先構造であって、
前記筆先は、親水性を有する合成樹脂材で形成されると共に、中心部に長さ方向に沿った貫通孔が形成され、
該貫通孔には、合成樹脂材で形成された糸状部材が集束され、
該糸状部材の先端部が、前記筆先の先端部から所定長さ突出して位置すること
を特徴とする筆記具の筆先構造。
【請求項２】
前記親水性を有する合成樹脂材は、焼結樹脂であること
を特徴とする請求項１に記載の筆記具の筆先構造。
【請求項３】
前記筆先の貫通孔は、後端部が拡径すると共に先端部方向に沿って縮径してテーパー状に形成されること
を特徴とする請求項１に記載の筆記具の筆先構造。
【発明の詳細な説明】
【技術分野】
【０００１】
本発明は、例えば筆ペン等の筆記具の筆先構造に関するものである。
【背景技術】
【０００２】
従来の筆ペンの構造としては、図６に示す構成のものが知られている。この筆ペンは、インキ収納部１を備える筆記具本体２と、この筆記具本体２の内部に設けられるコレクタ３と、このコレクタ３の中心孔に貫通する中継芯４と、筆記具本体２の先端部に嵌め込むノーズピース５と、このノーズピース５に集束する筆先６とから構成される（特許文献１参照）。
【０００３】
中継芯４は、基部４ａがインキ収納部１に位置し、先端部４ｂが筆先６の中心部に挿入した状態にある。このように、中継芯４がインキ収納部１と筆先６との間に介在することによって、インキが筆先６へスムーズに流出する。
【特許文献１】実開平５−５８３５７号公報
【発明の開示】
【発明が解決しようとする課題】
【０００４】
この従来例の筆ペンにおいては、筆先６の中心部に中継芯４を設けるので、筆先６の中心部の命毛をわざわざ抜く必要がある。命毛は筆の一番長い芯になる毛であって、この命毛により細い綺麗な線が書けるのである。従って、命毛を抜くと筆先６の形状が先鋭な形に形成できないだけでなく、細い線が綺麗に書けないという問題点を有している。
【０００５】
従って、従来例における筆ペンにおいては、筆先６の形状を先鋭な形に形成して、細い線を綺麗に書けるようにすることに解決しなければならない課題を有している。
【課題を解決するための手段】
【０００６】
前記従来例の課題を解決する具体的手段として本発明は、内部にインキ又はインキの含浸した中綿が収納される筒状の筆記具本体と、該筆記具本体の先端部に嵌め込むノーズピースと、該ノーズピースの貫通孔に設けられる筆先とを少なくとも有する筆記具の筆先構造であって、前記筆先は、親水性を有する合成樹脂材で形成されると共に、中心部に長さ方向に沿った貫通孔が形成され、該貫通孔には、合成樹脂材で形成された糸状部材が集束され、該糸状部材の先端部が、前記筆先の先端部から所定長さ突出して位置することを特徴とする筆記具の筆先構造を提供するものである。
【０００７】
また、前記親水性を有する合成樹脂材は、焼結樹脂であること；
前記筆先の貫通孔は、後端部が拡径すると共に先端部方向に沿って縮径してテーパー状に形成されること；
を含むものである。
【発明の効果】
【０００８】
本発明に係る筆記具の筆先構造は、内部にインキ又はインキの含浸した中綿が収納される筒状の筆記具本体と、該筆記具本体の先端部に嵌め込むノーズピースと、該ノーズピースの貫通孔に設けられる筆先とを少なくとも有する筆記具の筆先構造であって、前記筆先は、親水性を有する合成樹脂材で形成されると共に、中心部に長さ方向に沿った貫通孔が形成され、該貫通孔には、合成樹脂材で形成された糸状部材が集束され、該糸状部材の先端部が、前記筆先の先端部から所定長さ突出して位置することによって、筆先の中心部には命毛に替わって糸状部材が設けられる。従って、筆先の中心部を先鋭な形に形成できて、細い線を綺麗に書くことができる。
また、筆先は親水性を有する合成樹脂材を金型に入れて一体成形するので、寸法精度が高く、大量生産が可能であり、製造コストが低く安価であるという種々の優れた効果を奏する。
【０００９】
また、親水性を有する合成樹脂材は、焼結樹脂であることによって、この焼結樹脂は、ポリエチレン等の合成樹脂材の粉末体を押し固めて加熱成型して作られるものであり、その内部には連続気泡が形成されて、毛細管現象により液体を吸い上げる作用が良好であるという優れた効果を奏する。
【００１０】
そして、筆先の貫通孔は、後端部が拡径すると共に先端部方向に沿って縮径してテーパー状に形成されることによって、貫通孔に集束される糸状部材が先端部方向に沿って先鋭な形に集束することとなり、より一層細い線を描けることとなる。
更には、糸状部材は先端部方向に沿うほど密集密度が高くなるので、毛細管現象によって先端部方向へインキが流れやすくなるという種々の優れた効果を奏する。
【発明を実施するための最良の形態】
【００１１】
次に、本発明の実施の形態について図面を参照しながら説明する。まず、図１において、符号１１は筆記具を示し、この筆記具１１は、筒状の筆記具本体１２と、この筆記具本体１２の先端部１２ａに嵌め込むノーズピース１３と、このノーズピース１３の貫通孔１４に設けられる筆先１５と、この筆先１５の貫通孔１６に集束される糸状部材１７とから構成される。
【００１２】
筆記具本体１２は、先端部１２ａが開口した筒状に形成されており、その内部にはインキ収納部１９が設けられている。インキ収納部１９には、インキ、インキカートリッジあるいはインキの含浸した中綿１８が収納される。
【００１３】
筆記具本体１２の先端部１２ａ側には周方向に沿って段部２０が形成されており、この段部２０には、縮径部２１が延設されている。
【００１４】
ノーズピース１３は、図１から図３に示すように、その中心部に長さ方向に沿った貫通孔１４が形成されている。ノーズピース１３の先端側にはテーパー部２２が設けられており、テーパー部２２の後部には周方向に沿って段部２３が形成されている。この段部２３が筆記具本体１２の先端部１２ａに当接する。また、段部２３の後部には、筒部２４が延設されており、筒部２４の外周面には、溝部２５が形成されている。そして、筒部２４の外径寸法は、縮径部２１の内径寸法よりも僅かに小さめか又は略同じ寸法に形成されている。つまり、筒部２４を筆記具本体１２の縮径部２１の内側に圧着した状態に嵌め込むことができるように構成されているのである。
【００１５】
筆先１５は、親水性を有する合成樹脂材、例えば焼結樹脂で形成される。この焼結樹脂は、ポリエチレン等の合成樹脂材の粉末体を押し固めて加熱成型して作られる。その内部には連続気泡が形成されており、毛細管現象により液体を吸い上げる作用が良好である。
【００１６】
この筆先１５は、親水性を有する合成樹脂材、例えば焼結樹脂を金型に入れて一体成形するので、寸法精度が高く、後述するテーパー状の貫通孔１６を寸法精度良く作ることができる。また、大量生産が可能であり、製造コストが低く安価である。
【００１７】
また、筆先１５は、図４及び図５に示すように、中心部に長さ方向に沿った貫通孔１６が形成されている。貫通孔１６は、後端部１６ｂが拡径すると共に先端部１６ａ方向に沿って縮径してテーパー状に形成される。従って、貫通孔１６に集束される糸状部材１７が先端部１６ａ方向に沿って先鋭な形に集束することとなり、より一層細い線を描ける。更に、糸状部材１７は先端部１６ａ方向に沿うほど密集密度が高くなるので、毛細管現象によって先端部１６ａ方向へインキが流れやすくなるのである。
【００１８】
糸状部材１７は、周知の合成樹脂材からなる糸材を束ねて形成したものであり、この糸状部材１７が貫通孔１６に集束されている。糸状部材１７の先端部１７ａは、図１から図３に示すように、筆先１５の先端部１５ａから所定長さ突出して位置する。また、糸状部材１７の後端部１７ｂは、筆先１５の後端部１５ｂ近傍に位置する。
【００１９】
以上のように構成される筆記具１１の筆先構造は、従来の命毛に替わって、筆先１５の中心部に糸状部材１７を設けるので、筆先１５の中心部を先鋭な形に形成できて、細い線を綺麗に書けることとなる。更には、筆先１５の貫通孔１６がテーパー状に形成されるので、糸状部材１７が先端部１６ａ方向に沿ってさらに先鋭な形に集束することとなり、より一層細い線を描ける。
【図面の簡単な説明】
【００２０】
【図１】筆記具１１の断面図である。
【図２】筆先１５が集束されたノーズピース１３の平面図である。
【図３】筆先１５が集束されたノーズピース１３の断面図である。
【図４】筆先１５の平面図である。
【図５】筆先１５の断面図である。
【図６】従来例に係る筆ペンの断面図である。
【符号の説明】
【００２１】
１    インキ収納部
２    筆記具本体
３    コレクタ
４    中継芯
４ａ  基部
４ｂ  先端部
５    ノーズピース
６    筆先
１１  筆記具
１２  筆記具本体
１２ａ先端部
１３  ノーズピース
１４  貫通孔
１５  筆先
１５ａ先端部
１５ｂ後端部
１６  貫通孔
１６ａ先端部
１６ｂ後端部
１７  糸状部材
１７ａ先端部
１７ｂ後端部
１８  中綿
１９  インキ収納部
２０  段部
２１  縮径部
２２  テーパー部
２３  段部
２４  筒部
２５  溝部
【図１】
2009269251.tif 000003
【図２】
2009269251.tif 000004
【図３】
2009269251.tif 000005
【図４】
2009269251.tif 000006
【図５】
2009269251.tif 000007
【図６】
2009269251.tif 000008